(57)【要約】【課題】登録順序が適正でない認証カードの登録の必要が生じた場合にその登録を容易にまたは迅速に行うことができるようにする。【解決手段】カードロック装置のモードが通常モードの間に、未登録の鍵カードがカードロック装置に対して使用されたとき、当該鍵カードから読み取った情報に基づき、当該鍵カードが登録適格を有しかつ登録順序が適正であるかを判断し、登録適格を有しかつ登録順序が適正である場合には、当該鍵カードをカードロック装置に登録する。一方、シーケンス更新カードがカードロック装置に対して使用された場合には、カードロック装置のモードが更新モードに切り換えられる。その後、鍵カードがカードロック装置に対して使用されたとき、当該鍵カードから読み取った情報に基づき、当該鍵カードが登録適格を有しているかを判断し、登録適格を有している場合には、登録順序が適正でなくても当該鍵カードをカードロック装置に登録する。【選択図】図５
2013186880.tif 000002
【特許請求の範囲】
【請求項１】
カードの種別が認証カードであることを示す種別情報、カードが特定の認証カードであることを示す認証情報、および認証カードの登録順序に対応する値を示す登録順序情報を含むカード情報が自身のカード情報記憶部に記憶された認証カードと、カードの種別が制御カードであることを示す種別情報を含むカード情報が自身のカード情報記憶部に記憶された制御カードとのうちのいずれかのカードが使用されたとき、当該使用されたカードから前記カード情報を読み取るカード読取部と、
前記カード読取部により読み取られた前記カード情報に含まれる前記種別情報に基づき、当該使用されたカードが前記認証カードであるか前記制御カードであるかを識別する種別識別部と、
前記種別識別部の識別結果に基づき、当該使用されたカードが前記認証カードである場合には当該認証カードの登録または照合を行う判断処理部と、
前記判断処理部のモードを通常モードおよび更新モードのうちのいずれかのモードに設定するモード設定部とを備え、
前記モード設定部は、前記判断処理部のモードが前記通常モードに設定されている間において、前記種別識別部の識別結果に基づき、当該使用されたカードが前記認証カードである場合には前記判断処理部のモードを前記通常モードに維持し、前記判断処理部のモードが前記通常モードに設定されている間において、前記種別識別部の識別結果に基づき、当該使用されたカードが前記制御カードである場合には前記判断処理部のモードを前記更新モードに設定し、前記判断処理部のモードが前記更新モードに設定されている間において、前記種別識別部の識別結果に基づき、当該使用されたカードが前記認証カードであり、かつ当該認証カードの登録が終了した場合には前記判断処理部のモードを前記通常モードに設定し、
前記判断処理部は、
当該判断処理部のモードが前記通常モードに設定されている間において、当該使用された認証カードが登録済みか否かを判断する登録判断部と、
当該判断処理部のモードが前記通常モードに設定されている間において、前記登録判断部の判断結果に基づき、当該使用された認証カードが登録済みでない場合には、当該使用された認証カードから前記カード読取部により読み取られた前記カード情報に含まれる前記認証情報および前記登録順序情報に基づいて、当該使用された認証カードが特定の認証カードでありかつ適正な登録順序であるか否かを判断し、当該使用された認証カードが特定の認証カードでありかつ適正な登録順序である場合には、当該使用された認証カードに記憶された前記認証情報および前記登録順序情報に対応する登録情報を登録情報記憶部に記憶することにより当該使用された認証カードを登録する通常登録処理部と、
当該判断処理部のモードが前記通常モードに設定されている間において、前記登録判断部の判断結果に基づき、当該使用された認証カードが登録済みである場合には、当該使用された認証カードから前記カード読取部により読み取られた前記カード情報に含まれる前記認証情報と前記登録情報記憶部に記憶された前記登録情報とを照合する照合処理部と、
前記判断処理部のモードが前記更新モードに設定されている間において、当該使用された認証カードから前記カード読取部により読み取られた前記カード情報に含まれる前記認証情報に基づいて、当該使用された認証カードが特定の認証カードであるか否かを判断し、当該使用された認証カードが特定の認証カードである場合には、当該使用された認証カードが適正な登録順序であるか否かにかかわらず、当該使用された認証カードに記憶された前記認証情報および前記登録順序情報に対応する登録情報を前記登録情報記憶部に記憶することにより当該使用された認証カードを登録する更新登録処理部とを備えていることを特徴とする認証装置。
【請求項２】
前記モード設定部は、前記判断処理部のモードを前記更新モードに設定してから、前記認証カードの登録が行われることなく所定の時間が経過した場合には、前記判断処理部のモードを前記通常モードに設定することを特徴とする請求項１に記載の認証装置。
【請求項３】
前記判断処理部の照合結果に基づいて電気錠を制御する制御部を備えていることを特徴とする請求項１または２に記載の認証装置。
【請求項４】
カードの種別が認証カードであることを示す種別情報、カードが特定の認証カードであることを示す認証情報、および認証カードの登録順序に対応する値を示す登録順序情報を含むカード情報が自身のカード情報記憶部に記憶された認証カードと、
カードの種別が制御カードであることを示す種別情報を含むカード情報が自身のカード情報記憶部に記憶された制御カードと、
前記認証カードを使用して認証処理を行う認証装置とを備え、
前記認証装置は、
前記認証カードおよび前記制御カードのうちのいずれかのカードが使用されたとき、当該使用されたカードから前記カード情報を読み取るカード読取部と、
前記カード読取部により読み取られた前記カード情報に含まれる前記種別情報に基づき、当該使用されたカードが前記認証カードであるか前記制御カードであるかを識別する種別識別部と、
前記種別識別部の識別結果に基づき、当該使用されたカードが前記認証カードである場合には当該認証カードの登録または照合を行う判断処理部と、
前記判断処理部のモードを通常モードおよび更新モードのうちのいずれかのモードに設定するモード設定部とを備え、
前記モード設定部は、前記判断処理部のモードが前記通常モードに設定されている間において、前記種別識別部の識別結果に基づき、当該使用されたカードが前記認証カードである場合には前記判断処理部のモードを前記通常モードに維持し、前記判断処理部のモードが前記通常モードに設定されている間において、前記種別識別部の識別結果に基づき、当該使用されたカードが前記制御カードである場合には前記判断処理部のモードを前記更新モードに設定し、前記判断処理部のモードが前記更新モードに設定されている間において、前記種別識別部の識別結果に基づき、当該使用されたカードが前記認証カードであり、かつ当該認証カードの登録が終了した場合には前記判断処理部のモードを前記通常モードに設定し、
前記判断処理部は、
当該判断処理部のモードが前記通常モードに設定されている間において、当該使用された認証カードが登録済みか否かを判断する登録判断部と、
当該判断処理部のモードが前記通常モードに設定されている間において、前記登録判断部の判断結果に基づき、当該使用された認証カードが登録済みでない場合には、当該使用された認証カードから前記カード読取部により読み取られた前記カード情報に含まれる前記認証情報および前記登録順序情報に基づいて、当該使用された認証カードが特定の認証カードでありかつ適正な登録順序であるか否かを判断し、当該使用された認証カードが特定の認証カードでありかつ適正な登録順序である場合には、当該使用された認証カードに記憶された前記認証情報および前記登録順序情報に対応する登録情報を登録情報記憶部に記憶することにより当該使用された認証カードを登録する通常登録処理部と、
当該判断処理部のモードが前記通常モードに設定されている間において、前記登録判断部の判断結果に基づき、当該使用された認証カードが登録済みである場合には、当該使用された認証カードから前記カード読取部により読み取られた前記カード情報に含まれる前記認証情報と前記登録情報記憶部に記憶された前記登録情報とを照合する照合処理部と、
前記判断処理部のモードが前記更新モードに設定されている間において、当該使用された認証カードから前記カード読取部により読み取られた前記カード情報に含まれる前記認証情報に基づいて、当該使用された認証カードが特定の認証カードであるか否かを判断し、当該使用された認証カードが特定の認証カードである場合には、当該使用された認証カードが適正な登録順序であるか否かにかかわらず、当該使用された認証カードに記憶された前記認証情報および前記登録順序情報に対応する登録情報を前記登録情報記憶部に記憶することにより当該使用された認証カードを登録する更新登録処理部とを備えていることを特徴とする認証システム。
【請求項５】
カードの種別が認証カードであることを示す前記種別情報、前記認証情報および前記登録順序情報をカードのカード情報記憶部に記録することにより、当該カードを前記認証カードとして発行するカード発行装置を備えていることを特徴とする請求項４に記載の認証システム。
【発明の詳細な説明】
【技術分野】
【０００１】
本発明は、ＩＣカード等を用いて認証処理を行う認証装置および認証システムに関する。
【背景技術】
【０００２】
ＩＣカード等を用いた認証システムは、例えばホテルの部屋の入室管理に採用されている（特許文献１参照）。このような認証システムの多くは、カード発行装置と、認証装置に当たるカードロック装置とを備えている。カード発行装置は、ホテルのフロントに置かれ、ＩＣカードを発行する。カードロック装置は、部屋の扉に取り付けられ、ＩＣカードからカード情報を読み取って照合処理を行い、照合結果に基づき、当該扉に設けられた電気錠を制御する。
【０００３】
ＩＣカードに内蔵された記憶素子には、カード発行装置により、認証情報が記憶される。認証情報には適格性情報および識別情報が含まれている。適格性情報は、当該ＩＣカードが、特定のホテルの特定の部屋の扉に取り付けられたカードロック装置に登録される資格を有することを示す情報であり、例えば、ホテルコード、ルームナンバ等である。また、識別情報は、当該ＩＣカードを識別するための当該ＩＣカード固有の情報である。なお、識別情報は、当該ＩＣカードがカード発行装置により発行される前に、当該ＩＣカードに予め記憶されている場合もある。
【０００４】
当該認証システムの動作につき、ある宿泊客が特定のホテルＨの特定の部屋Ｒを利用する場合を例にあげて説明する。宿泊客がホテルＨにチェックインしたとき、ホテルＨの係員は、ホテルＨの空き室の１つである任意の部屋Ｒを選択し、ホテルＨのフロントにて、カード発行装置を操作してＩＣカードを発行する。このとき、カード発行装置により、ＩＣカードには、ホテルＨのホテルコードおよび部屋Ｒのルームナンバ等といった適格性情報と、当該ＩＣカード固有の識別情報とを含む認証情報が記憶される。そして、ホテルＨの係員は、発行したＩＣカードを宿泊客に手渡す。
【０００５】
ＩＣカードを受け取った宿泊客は、フロントから部屋Ｒの扉の前に移動し、当該扉に取り付けられたカードロック装置に対し、ＩＣカードを使用する。例えばＩＣカードが非接触型のＩＣカードである場合、宿泊客は、カードロック装置のカードリーダにＩＣカードを近づける。ＩＣカードが発行されてからカードロック装置に対して初めて使用された場合、カードロック装置は、ＩＣカードを自身に登録する処理を行う。具体的には、カードロック装置は、ＩＣカードから認証情報を読み取り、認証情報に含まれる適格性情報に基づいて当該ＩＣカードが登録適格を有するか否かを判断し、登録適格を有する場合には、当該ＩＣカードの認証情報に対応する登録情報を生成してカードロック装置内の記憶部に記憶する。登録後、カードロック装置は電気錠を制御して当該扉を解錠させる。
【０００６】
宿泊客が部屋に入り、その後、部屋を出たとき、例えば当該部屋の扉に設けられた電気錠が動作し当該扉が自動的に施錠される。その後、宿泊客が再び部屋に入るとき、宿泊客は当該部屋の扉に取り付けられたカードロック装置に対し、ＩＣカードを使用する。当該カードロック装置に対するＩＣカードの登録が済んだ後に当該ＩＣカードが使用された場合、カードロック装置は、ＩＣカードを照合する処理を行う。具体的には、カードロック装置は、ＩＣカードから認証情報を読み取り、この認証情報と当該カードロック装置の記憶部に記憶された登録情報とを照合し、両者が対応するか否かを判断する。そして、両者が対応する場合には、カードロック装置は電気錠を制御して当該扉を解錠させる。
【先行技術文献】
【特許文献】
【０００７】
【特許文献１】特開２００７−９２４３４号公報
【発明の概要】
【発明が解決しようとする課題】
【０００８】
上述したような認証システムの中には、１つのカードロック装置において、登録されるＩＣカードの登録順序を監視し、登録順序が適正でないＩＣカードの登録を原則として許可しないことで、厳格な入室管理を実現する機能（シーケンス管理機能）を備えているものがある。
【０００９】
例えば、ＩＣカードの発行時に、カード発行装置により、宿泊客のチェックイン日時を認証情報に加えまたは認証情報に含めてＩＣカードに記憶する。ＩＣカードがカードロック装置に対して初めて使用されたときには、カードロック装置は、当該ＩＣカードに記憶された認証情報に基づいて当該ＩＣカードが登録適格を有するか否かを判断するだけでなく、当該ＩＣカードに記憶されたチェックイン日時に基づいて当該ＩＣカードの登録順序が適正であるか否かを判断する。そして、当該ＩＣカードが登録適格を有し、かつ当該ＩＣカードの登録順序が適正である場合に限り、カードロック装置は当該ＩＣカードの登録を許す。
【００１０】
また、ＩＣカードをカードロック装置に登録するときには、カードロック装置は、当該ＩＣカードに記憶されたチェックイン日時を登録情報に加えまたは登録情報に含めてカードロック装置の記憶部に記憶する。したがって、ＩＣカードがカードロック装置に対して初めて使用されたときには、前回使用された別のＩＣカードに記憶されたチェックイン日時が当該カードロック装置の記憶部に保持されている。カードロック装置は、今回初めて使用されたＩＣカードの登録の許否を判断する際に、当該カードロック装置の記憶部に保持された前回の別のＩＣカードに記憶されたチェックイン日時と、今回初めて使用されたＩＣカードに記憶されたチェックイン日時とを照合し、今回初めて使用されたＩＣカードの登録順序が適正であるか否かを判断する。
【００１１】
しかしながら、このシーケンス管理機能には、登録順序が適正でないＩＣカードをカードロック装置に登録する必要が生じた場合にその登録を容易に行うことができないという問題がある。
【００１２】
例えば、同一の部屋について、２枚のＩＣカードが異なる日時に発行された場合、後に発行されたＩＣカードが当該部屋の扉に取り付けられたカードロック装置に登録された後に、何らかの正当な理由で、前に発行されたＩＣカードを当該カードロック装置に登録する必要が生じることがある。この場合、前に発行されたＩＣカードは、登録順序が適正でないため、当該カードロック装置への登録が許可されないのが原則である。ところが、これでは不便であるので、シーケンス管理機能を有する認証システムの多くは、登録順序が適正でないＩＣカードを例外的に登録するために、次に述べるような方法を採用している。
【００１３】
すなわち、認証システムは、通常、赤外線等をカードロック装置に照射してカードロック装置と通信を行い、カードロック装置の初期設定やメンテナンスを行うための専用の装置を備えている。シーケンス管理機能を有する認証システムの多くは、この専用の装置からカードロック装置へ赤外線を介して特別な指令を送信し、登録順序が適正でないＩＣカードのカードロック装置への登録を例外的に許可するようにしている。
【００１４】
しかしながら、この専用の装置は、カードロック装置の初期設定やメンテナンスを行うための装置であるため、希にしか使用されない。専用の装置を用いてこのような例外的な作業を行うのは、通常、ホテルの係員であるが、ホテルの係員は、希にしか使用しない専用の装置の操作方法を忘れてしまっている場合があり、あるいは、そもそもその専用の装置を操作することが初めてである場合もある。このため、このような係員は専用の装置をうまく操作することができない。このように、登録順序が適正でないＩＣカードのカードロック装置への登録をスムーズに完遂することは容易ではない。
【００１５】
また、専用の装置は希にしか使用されないため、専用の装置の保管場所がわからない場合や、専用の装置が紛失して見つからない場合、または、専用の装置が故障している場合があり、このような場合には、登録順序が適正でないＩＣカードのカードロック装置への登録を直ちに行うことができない。
【００１６】
本発明は例えば上述したような問題に鑑みなされたものであり、本発明の課題は、登録順序が適正でない認証カード（ＩＣカード等）の登録の必要が生じた場合にその登録を容易にまたは迅速に行うことができる認証装置および認証システムを提供することにある。
【課題を解決するための手段】
【００１７】
上記課題を解決するために、本発明の第１の認証装置は、カードの種別が認証カードであることを示す種別情報、カードが特定の認証カードであることを示す認証情報、および認証カードの登録順序に対応する値を示す登録順序情報を含むカード情報が自身のカード情報記憶部に記憶された認証カードと、カードの種別が制御カードであることを示す種別情報を含むカード情報が自身のカード情報記憶部に記憶された制御カードとのうちのいずれかのカードが使用されたとき、当該使用されたカードから前記カード情報を読み取るカード読取部と、前記カード読取部により読み取られた前記カード情報に含まれる前記種別情報に基づき、当該使用されたカードが前記認証カードであるか前記制御カードであるかを識別する種別識別部と、前記種別識別部の識別結果に基づき、当該使用されたカードが前記認証カードである場合には当該認証カードの登録または照合を行う判断処理部と、前記判断処理部のモードを通常モードおよび更新モードのうちのいずれかのモードに設定するモード設定部とを備え、前記モード設定部は、前記判断処理部のモードが前記通常モードに設定されている間において、前記種別識別部の識別結果に基づき、当該使用されたカードが前記認証カードである場合には前記判断処理部のモードを前記通常モードに維持し、前記判断処理部のモードが前記通常モードに設定されている間において、前記種別識別部の識別結果に基づき、当該使用されたカードが前記制御カードである場合には前記判断処理部のモードを前記更新モードに設定し、前記判断処理部のモードが前記更新モードに設定されている間において、前記種別識別部の識別結果に基づき、当該使用されたカードが前記認証カードであり、かつ当該認証カードの登録が終了した場合には前記判断処理部のモードを前記通常モードに設定し、前記判断処理部は、当該判断処理部のモードが前記通常モードに設定されている間において、当該使用された認証カードが登録済みか否かを判断する登録判断部と、当該判断処理部のモードが前記通常モードに設定されている間において、前記登録判断部の判断結果に基づき、当該使用された認証カードが登録済みでない場合には、当該使用された認証カードから前記カード読取部により読み取られた前記カード情報に含まれる前記認証情報および前記登録順序情報に基づいて、当該使用された認証カードが特定の認証カードでありかつ適正な登録順序であるか否かを判断し、当該使用された認証カードが特定の認証カードでありかつ適正な登録順序である場合には、当該使用された認証カードに記憶された前記認証情報および前記登録順序情報に対応する登録情報を登録情報記憶部に記憶することにより当該使用された認証カードを登録する通常登録処理部と、当該判断処理部のモードが前記通常モードに設定されている間において、前記登録判断部の判断結果に基づき、当該使用された認証カードが登録済みである場合には、当該使用された認証カードから前記カード読取部により読み取られた前記カード情報に含まれる前記認証情報と前記登録情報記憶部に記憶された前記登録情報とを照合する照合処理部と、前記判断処理部のモードが前記更新モードに設定されている間において、当該使用された認証カードから前記カード読取部により読み取られた前記カード情報に含まれる前記認証情報に基づいて、当該使用された認証カードが特定の認証カードであるか否かを判断し、当該使用された認証カードが特定の認証カードである場合には、当該使用された認証カードが適正な登録順序であるか否かにかかわらず、当該使用された認証カードに記憶された前記認証情報および前記登録順序情報に対応する登録情報を前記登録情報記憶部に記憶することにより当該使用された認証カードを登録する更新登録処理部とを備えていることを特徴とする。
【００１８】
本発明の第１の認証装置によれば、判断処理部のモードが通常モードを維持している間に、未登録の認証カードが認証装置に対して使用されると、たとえその認証カードが特定の認証カードであっても、登録順序が適正でない場合には、その認証カードは認証装置に登録されない。一方、制御カードが認証装置に対して使用されると、判断処理部のモードが通常モードから更新モードに切り換えられ、その後、認証カードが当該認証装置に対して使用されると、その認証カードが特定の認証カードであれば、その認証カードの登録順序が適正でない場合でも、その認証カードは認証装置に登録される。
【００１９】
すなわち、登録順序が適正でない認証カードを認証装置に登録するためには、制御カードを認証装置に対して使用するだけでよい（例えば制御カードを認証装置に接近または接触させてカード情報を読み取らせるだけでよい）。したがって、登録順序が適正でない認証カードを認証装置に登録するために、複雑な操作を行う必要がないので、登録順序が適正でない認証カードを認証装置に容易に登録することができる。また、制御カードは例えばＩＣカード等により実現することができるので、例えば複数の制御カードを複数の係員に携帯させる等の措置をとることができ、これにより、登録順序が適正でない認証カードの登録の必要が生じたときに、制御カードが１枚も見つからないといった事態を避けることができる。したがって、登録順序が適正でない認証カードを認証装置に迅速にかつ確実に登録することができる。
【００２０】
上記課題を解決するために、本発明の第２の認証装置は、上述した本発明の第１の認証装置において、前記モード設定部は、前記判断処理部のモードを前記更新モードに設定してから、前記認証カードの登録が行われることなく所定の時間が経過した場合には、前記判断処理部のモードを前記通常モードに設定することを特徴とする。
【００２１】
本発明の第２の認証装置によれば、認証装置のモードが更新モードである時間を制限することにより、登録順序が適正でない認証カードを認証装置に登録することができる機会を短い時間に限定することができる。これにより、不正な目的で登録順序が適正でない認証カードが認証装置に登録されるのを抑制することができる。
【００２２】
上記課題を解決するために、本発明の第３の認証装置は、上述した本発明の第１または第２の認証装置において、前記判断処理部の照合結果に基づいて電気錠を制御する制御部を備えていることを特徴とする。
【００２３】
本発明の第３の認証装置によれば、例えば、認証装置に登録される認証カードの登録順序を監視し、登録順序が適正でない認証カードの認証装置への登録を原則として許可しないことで入室管理の厳格性を確保することができ、その一方で、正当な理由で登録順序が適正でない認証カードの認証装置への登録を例外的に許すことで、実際の利用に即して融通がきき、便利な入室管理を実現することができる。
【００２４】
上記課題を解決するために、本発明の第１の認証システムは、カードの種別が認証カードであることを示す種別情報、カードが特定の認証カードであることを示す認証情報、および認証カードの登録順序に対応する値を示す登録順序情報を含むカード情報が自身のカード情報記憶部に記憶された認証カードと、カードの種別が制御カードであることを示す種別情報を含むカード情報が自身のカード情報記憶部に記憶された制御カードと、前記認証カードを使用して認証処理を行う認証装置とを備え、前記認証装置は、前記認証カードおよび前記制御カードのうちのいずれかのカードが使用されたとき、当該使用されたカードから前記カード情報を読み取るカード読取部と、前記カード読取部により読み取られた前記カード情報に含まれる前記種別情報に基づき、当該使用されたカードが前記認証カードであるか前記制御カードであるかを識別する種別識別部と、前記種別識別部の識別結果に基づき、当該使用されたカードが前記認証カードである場合には当該認証カードの登録または照合を行う判断処理部と、前記判断処理部のモードを通常モードおよび更新モードのうちのいずれかのモードに設定するモード設定部とを備え、前記モード設定部は、前記判断処理部のモードが前記通常モードに設定されている間において、前記種別識別部の識別結果に基づき、当該使用されたカードが前記認証カードである場合には前記判断処理部のモードを前記通常モードに維持し、前記判断処理部のモードが前記通常モードに設定されている間において、前記種別識別部の識別結果に基づき、当該使用されたカードが前記制御カードである場合には前記判断処理部のモードを前記更新モードに設定し、前記判断処理部のモードが前記更新モードに設定されている間において、前記種別識別部の識別結果に基づき、当該使用されたカードが前記認証カードであり、かつ当該認証カードの登録が終了した場合には前記判断処理部のモードを前記通常モードに設定し、前記判断処理部は、当該判断処理部のモードが前記通常モードに設定されている間において、当該使用された認証カードが登録済みか否かを判断する登録判断部と、当該判断処理部のモードが前記通常モードに設定されている間において、前記登録判断部の判断結果に基づき、当該使用された認証カードが登録済みでない場合には、当該使用された認証カードから前記カード読取部により読み取られた前記カード情報に含まれる前記認証情報および前記登録順序情報に基づいて、当該使用された認証カードが特定の認証カードでありかつ適正な登録順序であるか否かを判断し、当該使用された認証カードが特定の認証カードでありかつ適正な登録順序である場合には、当該使用された認証カードに記憶された前記認証情報および前記登録順序情報に対応する登録情報を登録情報記憶部に記憶することにより当該使用された認証カードを登録する通常登録処理部と、当該判断処理部のモードが前記通常モードに設定されている間において、前記登録判断部の判断結果に基づき、当該使用された認証カードが登録済みである場合には、当該使用された認証カードから前記カード読取部により読み取られた前記カード情報に含まれる前記認証情報と前記登録情報記憶部に記憶された前記登録情報とを照合する照合処理部と、前記判断処理部のモードが前記更新モードに設定されている間において、当該使用された認証カードから前記カード読取部により読み取られた前記カード情報に含まれる前記認証情報に基づいて、当該使用された認証カードが特定の認証カードであるか否かを判断し、当該使用された認証カードが特定の認証カードである場合には、当該使用された認証カードが適正な登録順序であるか否かにかかわらず、当該使用された認証カードに記憶された前記認証情報および前記登録順序情報に対応する登録情報を前記登録情報記憶部に記憶することにより当該使用された認証カードを登録する更新登録処理部とを備えていることを特徴とする。
【００２５】
本発明の第１の認証システムによれば、制御カードを認証装置に対して使用するだけで、登録順序が適正でない認証カードを認証装置に登録することができるので、登録順序が適正でないの認証カードの登録作業の容易化を図ることができる。また、複数の係員に複数の制御カードをそれぞれ所持させて制御カードを分散管理することで、登録順序が適正でない認証カードの登録の必要が生じたときに、制御カードが１枚も見つからないといった事態を避けることができ、登録順序が適正でない認証カードの認証装置への登録の迅速性または確実性を高めることができる。
【００２６】
上記課題を解決するために、本発明の第２の認証システムは、上述した本発明の第１の認証システムにおいて、カードの種別が認証カードであることを示す前記種別情報、前記認証情報および前記登録順序情報をカードのカード情報記憶部に記録することにより、当該カードを前記認証カードとして発行するカード発行装置を備えていることを特徴とする。
【００２７】
本発明の第２の認証システムによれば、認証システムにカード発行装置を追加することにより、ホテルの部屋の入室管理のように、利用者ごとに異なる認証カードを発行するといった管理業務に好適な認証システムを実現することができる。
【発明の効果】
【００２８】
本発明によれば、登録順序が適正でない認証カードの登録の必要が生じた場合にその登録を容易にまたは迅速に行うことができる。
【図面の簡単な説明】
【００２９】
【図１】本発明の実施形態による認証システムを示すブロック図である。
【図２】本発明の実施形態による認証システムのカードリーダユニットにおける演算処理部を示すブロック図である。
【図３】本発明の実施形態による認証システムにおける鍵カードを示す説明図である。
【図４】本発明の実施形態による認証システムにおけるシーケンス更新カードを示す説明図である。
【図５】本発明の実施形態による認証システムのカードロック装置におけるカード登録動作、カード照合動作、シーケンス更新動作に係る処理を示すフローチャートである。
【発明を実施するための形態】
【００３０】
以下、本発明の実施の形態について図面を参照しながら説明する。
【００３１】
（認証システムの構成）
図１は、本発明の実施形態による認証システムを示している。図２は、当該認証システムのカードリーダユニットにおける演算処理部を示している。図３および図４は、当該認証システムにおける鍵カードおよびシーケンス更新カードをそれぞれ示している。
【００３２】
図１において、本発明の実施形態による認証システム１は、ＩＣカードを用いて認証処理を行う認証システムである。本発明の認証装置および認証システムは、入退室管理、入退場管理、通行管理、就業管理、在庫管理、物品保管管理等、様々な管理に適用することができるが、本実施形態では、本発明の認証システムを、ホテルの部屋の入室管理に適用する場合を例にあげる。また、本発明の認証システムにおけるカードは、ＩＣカード、磁気カード、個々人が携帯自在な小型のカード状の通信装置等を含み、ＩＣカードは、非接触型、接触型を問わず、ＲＦＩＤ（Ｒａｄｉｏ  Ｆｒｅｑｕｅｎｃｙ  Ｉｄｅｎｔｉｆｉｃａｔｉｏｎ）をも含むが、本実施形態による認証システム１では、上記カードとして非接触型のＩＣカードを採用した場合を例にあげる。
【００３３】
認証システム１は、カード発行装置１１、カードロック装置２１、および２種類のＩＣカードを備えている。２種類のＩＣカードとは、鍵カード５１およびシーケンス更新カード５３である。
【００３４】
カード発行装置１１は、鍵カード５１およびシーケンス更新カード５３を発行する装置である。カード発行装置１１は例えばホテルのフロントに設置され、ホテルの係員により操作される。カード発行装置１１は、カード発行制御部１２およびカード発行部１９を備えている。カード発行制御部１２は例えばパーソナルコンピュータである。また、カード発行部１９は例えばＩＣカード発行機またはＩＣカードライタである。カード発行制御部１２とカード発行部１９とは互いに情報の送受信が可能となるように接続されている。
【００３５】
カード発行制御部１２は、ホテルの部屋の空き状態等を示す情報や、宿泊予約スケジュール情報等を用いてホテルの部屋を管理するルーム管理部１３と、操作者の入力等に基づいて鍵カード５１またはシーケンス更新カード５３に記憶するカード情報を生成する処理等を行うカード発行管理部１４と、カード発行部１９を制御し、カード発行管理部１４により生成されたカード情報を鍵カード５１またはシーケンス更新カード５３に記憶する発行制御部１５と、鍵カード５１およびシーケンス更新カード５３の発行に関するログ情報（履歴情報）等を生成し、これを記憶部１８に記憶してログ情報の管理を行うログ管理部１６と、ＲＡＳ（Ｒｉｌｉａｂｉｌｉｔｙ、Ａｖａｉｌａｂｉｌｉｔｙ、Ｓｅｒｖｉｃｅａｂｉｌｉｔｙ）に関する管理を行うＲＡＳ管理部１７と、例えばハードディスク装置等から構成された記憶部１８とを備えている。カード発行制御部１２の各部１３〜１７は、例えば、これら各部１３〜１７としてパーソナルコンピュータを機能させるためのコンピュータプログラムをパーソナルコンピュータのＣＰＵに実行させることにより実現される。
【００３６】
カードロック装置２１は、鍵カード５１が使用されたときに、鍵カード５１に記憶されたカード情報を用いて認証処理を行い、認証処理の結果に従ってホテルの部屋の扉の施解錠を制御する装置である。カードロック装置２１はホテルの部屋ごとに設けられ、各部屋の扉に取り付けられている。カードロック装置２１は、カードリーダユニット２２、電気錠４１、およびカードリーダユニット２２および電気錠４１の電源である電池４２を備えている。
【００３７】
カードリーダユニット２２は、鍵カード５１またはシーケンス更新カード５３が使用されたときに、鍵カード５１またはシーケンス更新カード５３からカード情報を読み取るカード読取部としてのカードリーダ／ライタ２３と、カードリーダ／ライタ２３により読み取られたカード情報に基づき、カード種別の識別、モードの設定、鍵カード５１の登録、鍵カード５１の照合等を行う演算処理部２４と、演算処理部２４による鍵カード５１の照合結果に基づいて電気錠４１の施解錠動作を制御する電気錠制御部２５と、鍵カード５１の使用、鍵カード５１の登録、鍵カード５１の照合、シーケンス更新カード５３の使用、電気錠４１の動作に関するログ情報（履歴情報）等を生成し、これらを記憶部２８に記憶してログ管理を行うログ管理部２６と、ＲＡＳに関する管理を行うＲＡＳ管理部２７と、例えばフラッシュメモリ等の書換可能な不揮発性の記憶素子等から構成された登録情報記憶部としての記憶部２８とを備えている。また、カードリーダ／ライタ２３は、例えば扉の外面側において、宿泊客、ホテルの係員、清掃員等が鍵カード５１またはシーケンス更新カード５３を使用しやすい位置に配置されている。なお、カードの「使用」とは、カードをカードリーダ／ライタ２３のパネル面に接近または接触させて、カードリーダ／ライタ２３によるカードからのカード情報の読み取りを可能にする行為を意味する。
【００３８】
また、演算処理部２４は、カードリーダユニット２２に設けられたＣＰＵにより実現される。演算処理部２４は、図２に示すように、種別識別部３１、判断処理部３２およびモード設定部３７を備え、判断処理部３２は、登録判断部３３、通常登録処理部３４、照合処理部３５、および更新登録処理部３６を備えている。これら演算処理部２４の各部３１〜３７は、例えば、これら各部３１〜３７としてカードリーダユニット２２のＣＰＵを機能させるためのコンピュータプログラムを当該ＣＰＵに実行させることにより実現される。演算処理部２４の各部３１〜３７の詳細については、後に図５を用いて説明する。
【００３９】
電気錠４１は、扉に設けられ、カードリーダユニット２２から出力される制御信号に従って動作し、扉を施錠、解錠する。
【００４０】
一方、図３に示すように、鍵カード５１は、非接触型のＩＣカードであり、その内部に、書換可能な不揮発性の記憶素子である記憶部５２（カード情報記憶部）を備えている。鍵カード５１は、それをカードロック装置２１に対して使用し、電気錠４１を動作させて扉を解錠させるためのカードであり、扉の鍵としての役割を果たす。
【００４１】
鍵カード５１には３つの種別がある。すなわち、第１の種別の鍵カードは、ホテルの宿泊客に手渡され、宿泊客が宿泊の目的で扉を開けて部屋に入るために用いられる鍵カードである。第２の種別の鍵カードは、ホテルの清掃員等が所持し、清掃員等が部屋の清掃目的で扉を開けて部屋に入るために用いられる鍵カードである。第３の種別の鍵カードは、ホテルの管理者、係員等が所持し、管理者、係員等がホテル管理目的で扉を開けて部屋に入るために用いられ、いわゆるマスターキーに相当する鍵カードである。各鍵カード５１の記憶部５２には、カードの種別を示すカード種別ナンバがカード情報の一部として記憶されており、カード種別ナンバに基づき、鍵カード５１の種別を認識することができる。例えば、第１の種別の鍵カードを示すカード種別ナンバは「０」であり、第２の種別の鍵カードを示すカード種別ナンバは「１」であり、第３の種別の鍵カードを示すカード種別ナンバは「２」である。
【００４２】
第１の種別の鍵カード５１は、複数発行することができる。第１の種別の鍵カード５１において、複数の鍵カード５１はそれぞれ相互に異なり、同一の鍵カード５１は存在しない。それぞれの鍵カード５１の記憶部５２には、鍵カード５１ごとに固有の固有識別情報がカード情報の一部として記憶されており、この固有識別情報に基づいて個々の鍵カード５１を識別することができる。
【００４３】
また、第１の種別の鍵カード５１には、原則として１つのホテルの１つの部屋しか割り当てることができない。すなわち、第１の種別の鍵カード５１において、１つの鍵カード５１は特定の１つの部屋に専用のカードであり、１つの鍵カード５１で動作させることができる電気錠４１は原則として当該特定の１つの部屋の扉に設けられた電気錠４１のみである。各鍵カード５１の記憶部５２には、当該鍵カード５１に割り当てられた特定のホテルのホテルコードおよび特定の部屋のルームナンバがカード情報の一部として記憶されており、ホテルコードおよびルームナンバにより、鍵カード５１に割り当てられた特定のホテルおよび特定の部屋を認識することができる。
【００４４】
また、第１の種別の鍵カード５１は使用可能な期間が限られている。第１の種別の鍵カード５１には、当該鍵カード５１を手渡した宿泊客についてのチェックイン日時およびチェックアウト日時がカード情報の一部として記憶されている。鍵カード５１に記憶されたチェックイン日時からチェックアウト日時までが当該鍵カード５１の使用可能な期間である。
【００４５】
第１の種別の鍵カード５１の記憶部５２にはカード情報が記憶されており、当該カード情報は、例えば次のような情報を含んでいる。
【００４６】
カード種別ナンバ（０）
ホテルコード
ルームナンバ
発行ナンバ
チェックイン日時
チェックアウト日時
固有識別情報
その他の情報
また、第２の種別の鍵カード５１は、特定のホテルの特定の複数の部屋（例えば特定の階にあるすべての部屋）を割り当てることができる点、使用可能期間が発行日時から所定の有効期限までである点が第１の種別の鍵カード５１と異なるものの、それら以外の点は、概ね、第１の種別の鍵カード５１と同じである。例えば、第２の種別の鍵カード５１には、ルームナンバの代わりにフロアナンバが記憶される。また、第３の種別の鍵カード５１は、特定のホテルのすべての部屋を割り当てることができる点、使用可能期間が発行日時から所定の有効期限までである点以外は、概ね、第１の種別の鍵カード５１と同じである。例えば、第３の種別の鍵カード５１のルームナンバは「ＡＬＬ」に設定される。
【００４７】
他方、図４に示すように、シーケンス更新カード５３は、非接触型のＩＣカードであり、その内部に、書換可能な不揮発性の記憶素子である記憶部５４（カード情報記憶部）を備えている。シーケンス更新カード５３は、登録順序が適正でない鍵カード５１をカードロック装置２１に登録させるためのカードである。シーケンス更新カード５３において、ＩＣカードのハードウェア構成は鍵カード５１と同じであり、ＩＣカードの記憶部５４に記憶されたカード情報の内容も、例えば次に述べるように、鍵カード５１とほぼ同じである。
【００４８】
カード種別ナンバ（３）
ホテルコード
ルームナンバ
発行ナンバ
発行日時
有効期限
固有識別情報
その他の情報
もっとも、シーケンス更新カード５３の記憶部５４に記憶されたカード情報には、当該ＩＣカードがシーケンス更新カードであることを示すカード種別ナンバが記憶されている。例えば、シーケンス更新カードを示すカード種別ナンバは「３」である。
【００４９】
なお、鍵カード５１は認証カードの具体例であり、シーケンス更新カード５３は制御カードの具体例である。また、鍵カード５１およびシーケンス更新カード５３のそれぞれのカード情報に含まれるカード種別ナンバは種別情報の具体例である。また、鍵カード５１のカード情報に含まれるホテルコード、ルームナンバ、チェックアウト日時および固有識別情報は、鍵カード５１が、登録前においてはカードロック装置２１への登録が許可され、登録されている間においては電気錠４１を動作させて扉と解錠させることができるといった特定の鍵カードであることを示す認証情報の具体例である。また、鍵カード５１のカード情報に含まれるチェックイン日時が登録順序情報の具体例である。
【００５０】
（認証システムの動作の概要）
認証システム１の動作を、カード発行動作、カード登録動作、カード照合動作、シーケンス更新動作の順に説明する。
【００５１】
［カード発行動作］  鍵カード５１は、種別を問わず、カード発行装置１１により発行される。鍵カード５１の記憶部５２に記憶されるカード情報は、鍵カード５１の発行時に、カード発行装置１１によって生成され、鍵カード５１の記憶部５２に記憶される。すなわち、第１の種別の鍵カード５１を発行する場合について説明すると、ホテルのフロントにおいて、宿泊客がホテルにチェックインしたときに、ホテルの係員がカード発行装置１１に、カードの種別、ホテルコード、ルームナンバ、チェックイン日時、チェックアウト日時等を入力する。カード発行制御部１２は、係員の入力に従って、カード種別ナンバ、ホテルコード、ルームナンバ、チェックイン日時、チェックアウト日時、固有識別情報、発行ナンバ、その他の情報を含むカード情報を生成する。そして、カード発行部１９は、カード発行制御部１２により生成されたカード情報を鍵カード５１の記憶部５２に記憶する。ホテルの係員は、カード発行部１９から発行された鍵カード５１を宿泊客に手渡す。なお、固有識別情報が記憶部が予め記憶されたＩＣカードを用いる場合には、鍵カード５１の発行時に、カード発行装置１１によりＩＣカードの記憶部に固有識別情報を記録せず、ＩＣカードの記憶部に予め記憶されていた固有識別情報を利用してもよい。また、シーケンス更新カード５３も、鍵カード５１とほぼ同様に、カード発行装置１１により発行される。
【００５２】
［カード登録動作］  発行された鍵カード５１がカードロック装置２１に初めて使用されたとき、当該カードロック装置２１は、当該使用された鍵カード５１を当該カードロック装置２１に登録する。登録時に、カードロック装置２１は、鍵カード５１からカード情報を読み取り、当該カード情報に基づき、使用されたカードが例えば第１の種別の鍵カード５１であるか否か、当該鍵カード５１が登録適格を有する鍵カードであるか否か、および当該鍵カード５１の登録順序が適正な登録順序であるか否かを判断する。そして、当該鍵カード５１が登録適格を有し、かつ登録順序が適正な第１の種別の鍵カード５１である場合には、カードロック装置２１は、当該鍵カード５１から読み取ったカード情報に対応する登録情報を生成し、この登録情報を当該カードロック装置２１の記憶部２８に記憶することにより、当該鍵カード５１を当該カードロック装置２１に登録する。なお、鍵カード５１のカードロック装置２１への登録が終了したとき、前回登録された鍵カード５１は、登録されていないものとされる。鍵カード５１のカードロック装置２１への登録が終了したとき、カードロック装置２１は、電気錠４１を制御して扉を解錠させる。
【００５３】
ここで、鍵カード５１の登録適格とは、鍵カード５１のカードロック装置２１への登録が許されていることを示す資格である。カードロック装置２１は、当該カードロック装置２１が設けられたホテルおよび部屋と鍵カード５１に割り当てられたホテルおよび部屋とが一致し、かつ登録時点が鍵カード５１に設定された使用期間内である場合に、当該鍵カード５１を登録適格がある鍵カードと判断する。また、カードロック装置２１は、この判断を、鍵カード５１のカード情報に含まれるホテルコード、ルームナンバおよびチックアウト日時等に基づいて行う。
【００５４】
また、鍵カード５１の登録順序とは、鍵カード５１を１つのカードロック装置２１に登録する順序である。認証システム１は、１つのカードロック装置２１に登録される鍵カード５１の登録順序を監視し、登録順序が適正でない鍵カード５１の登録を原則として許可しないことで、厳格な入室管理を実現する機能（シーケンス管理機能）を備えている。認証システム１では、鍵カード５１の登録順序に対応する値を示す登録順序情報として、鍵カード５１の記憶部５２に記憶されたカード情報に含まれるチェックイン日時を用い、鍵カード５１の登録順序を監視している。具体的に説明すると、発行後初めて使用された鍵カード５１のカードロック装置２１への登録を開始する時点において、カードロック装置２１の記憶部２８には、前回登録した鍵カード５１の登録情報が記憶されており、この登録情報には、前回登録した鍵カード５１のカード情報に含まれていたチェックイン日時が含まれている。発行後初めて使用された鍵カード５１を登録するとき、カードロック装置２１は、当該今回の鍵カード５１から読み取ったカード情報に含まれるチェックイン日時（今回の鍵カード５１に係るチェックイン日時）と、記憶部２８に記憶された登録情報に含まれるチェックイン日時（前回の鍵カード５１に係るチェックイン日時）とを比較する。そして、今回の鍵カード５１に係るチェックイン日時が、前回の鍵カード５１に係るチェックイン日時よりも後である場合に限り、今回の鍵カード５１の登録順序が適正であると判断する。また、発行後初めて使用された鍵カード５１につき、登録適格があり、かつ登録順序が適正であると判断した場合には、カードロック装置２１は、上述したように、当該鍵カード５１から読み取ったカード情報に対応する登録情報を生成し、これを当該カードロック装置２１の記憶部２８に記憶するが、このとき記憶部２８に記憶される登録情報には、当該鍵カード５１のカード情報に含まれるチェックイン日時が含まれる。なお、第２および第３の種別の鍵カード５１についての登録順序の適否判断には、チェックイン日時の代わりに、発行日時が用いられる。
【００５５】
［カード照合動作］  カードロック装置２１に対して使用された鍵カード５１が、発行後に当該カードロック装置２１に対して初めて使用された鍵カード５１でないとき、すなわち、当該鍵カード５１が当該カードロック装置２１に現在登録されているとき、当該カードロック装置２１は、当該鍵カード５１からカード情報を読み取り、このカード情報と登録情報とを照合し、両者が相互に対応しているか否かを判断する。カード情報と登録情報とが相互に対応している場合には、カードロック装置２１は、電気錠４１を制御して扉を解錠させる。
【００５６】
［シーケンス更新動作］  認証システム１は、上述したようにシーケンス管理機能を備えており、１つのカードロック装置２１に登録される鍵カード５１の登録順序を監視し、登録順序が適正でない鍵カード５１の登録を原則として許可しない。しかしながら、この原則を厳格に貫くと不便であるので、一定の場合に、登録順序が適正でない鍵カード５１のカードロック装置２１への登録を例外的に許可する機能を有している。登録順序が適正でない鍵カード５１をカードロック装置２１に登録する動作が、シーケンス更新動作に当たる。
【００５７】
シーケンス更新動作は次の通りである。すなわち、例えば何らかの正当な理由で登録順序が適正でない鍵カード５１をカードロック装置２１に登録したいときには、まず、シーケンス更新カード５３をカードロック装置２１に対して使用する。つまり、シーケンス更新カード５３をカードリーダ／ライタ２３のパネル面に接近または接触させる。これに応じ、カードロック装置２１は、当該シーケンス更新カード５３からカード情報を読み取り、このカード情報に基づき、使用されたカードがシーケンス更新カード５３であるか否かを判断する。
【００５８】
ここで、カードロック装置２１には通常モードおよび更新モードがある。通常モードは、上述したカード登録動作およびカード照合動作を行うモードである。一方、更新モードとはシーケンス更新動作を行うモードである。カードロック装置２１のデフォルトのモードは通常モードであり、カードロック装置２１が稼動を開始とき、カードロック装置２１のモードは通常モードに設定される。なお、厳密に言えば、通常モードと更新モードとで動作が異なるのは、カードロック装置２１に設けられたカードリーダユニット２２の演算処理部２４であるので、通常モードおよび更新モードは、演算処理部２４のモードであるが、説明の便宜上、認証システム１またはカードロック装置２１の動作を概括的または表面的に説明するときには、これらのモードがカードロック装置２１のモードであるが如く表現する。
【００５９】
さて、使用されたカードがシーケンス更新カード５３である場合には、カードロック装置２１は、そのモードを通常モードから更新モードに切り換える。当該カードロック装置２１が更新モードである間に、当該カードロック装置２１に対して鍵カード５１が使用された場合、当該カードロック装置２１は、当該鍵カード５１からカード情報を読み取り、このカード情報に基づき、当該カードが例えば第１の種別の鍵カード５１であると判断した後、当該カード情報に基づき、当該鍵カード５１が登録適格を有するか否かを判断する。そして、当該鍵カード５１が登録適格を有する場合には、当該カードロック装置２１は、当該鍵カード５１の登録順序が適正か否かにかかわらず、当該鍵カード５１を登録する。このように、カードロック装置２１に対してシーケンス更新カード５３を使用してから、鍵カード５１を使用すれば、当該鍵カード５１が登録順序が適正でない鍵カードである場合であっても、当該鍵カード５１を当該カードロック装置２１に登録することができる。
【００６０】
また、カードロック装置２１のモードが更新モードに切り換えられてから、鍵カード５１の登録が終了したとき、当該カードロック装置２１のモードは自動的に直ちに通常モードに戻る。また、カードロック装置２１のモードが更新モードに切り換えられてから、鍵カード５１の登録が行われることなく所定の時間（例えば３０秒程度）が経過した場合には、カードロック装置２１のモードは自動的に通常モードに戻る。このように、カードロック装置２１のモードが更新モードである時間を制限することにより、シーケンス管理機能による厳格な入室管理が緩和されることを防止することができる。
【００６１】
（認証システムの動作の詳細）
図５は、カードロック装置２１におけるカード登録動作、カード照合動作、シーケンス更新動作に係る処理の流れを示している。これより、図５を参照しながら、上述したカード登録動作、カード照合動作、シーケンス更新動作をより具体的に説明する。
【００６２】
図５において、カードロック装置２１の稼動開始直後、カードリーダユニット２２に設けられた演算処理部２４のモード設定部３７（図２参照）が、当該演算処理部２４のモードを通常モードに設定する（ステップＳ１）。なお、このとき、電気錠４１により部屋の扉は施錠されているものとする。
【００６３】
その後、カードが使用された場合、すなわち、カードがカードリーダ／ライタ２３のパネル面に接近または接触した場合（ステップＳ２：ＹＥＳ）、カードリーダ／ライタ２３は、当該使用されたカードからカード情報を読み取る（ステップＳ３）。
【００６４】
続いて、演算処理部２４の種別識別部３１が、当該読み取られたカード情報に含まれるカード種別ナンバに基づき、当該使用されたカードの種別を識別する（ステップＳ４）。
【００６５】
当該使用されたカードが例えば第１の種別の鍵カード５１である場合（ステップS４：ＹＥＳ）、演算処理部２４の登録判断部３３が、当該使用された鍵カード５１の登録の有無を判断する（ステップＳ５）。具体的には、登録判断部３３は、当該使用された鍵カード５１のカード情報に対応する登録情報が当該カードロック装置２１の記憶部２８に現在の登録情報として記憶されている場合には、当該使用された鍵カード５１が当該カードロック装置２１に現在登録されていると判断し、そうでない場合には、当該使用された鍵カード５１が当該カードロック装置２１にまだ登録されていないと判断する。
【００６６】
当該使用された鍵カード５１が当該カードロック装置２１にまだ登録されていない場合には（ステップＳ５：ＹＥＳ）、演算処理部２４の通常登録処理部３４が、当該使用された鍵カード５１の登録適格の有無を判断する（ステップＳ６）。具体的には、通常登録処理部３４は、当該使用された鍵カード５１のカード情報に含まれるホテルコードおよびルームナンバが、カードロック装置２１の記憶部２８に予め記憶されたホテルコードおよびルームナンバと一致し、かつカードロック装置２１に内蔵された時計が示す現在時刻が当該使用された鍵カード５１のカード情報に含まれるチェックアウト日時よりも前である場合には、当該使用された鍵カード５１が当該カードロック装置２１に対して登録適格を有すると判断し、そうでない場合には、当該使用された鍵カード５１が当該カードロック装置２１に対して登録適格を有しないと判断する。
【００６７】
当該使用された鍵カード５１が登録適格を有する場合には（ステップＳ６：ＹＥＳ）、続いて、通常登録処理部３４は、当該使用された鍵カード５１の登録順序が適正か否かを判断する（ステップＳ７）。具体的には、通常登録処理部３４は、当該使用された鍵カード５１のカード情報に含まれるチェックイン日時（今回の鍵カード５１に係るチェックイン日時）が、当該カードロック装置２１の記憶部２８に記憶されている前回の鍵カード５１に係るチェックイン日時よりも後である場合には、当該使用された鍵カード５１の登録順序が適正であると判断し、そうでない場合には、当該使用された鍵カード５１の登録順序が適正でないと判断する。
【００６８】
当該使用された鍵カード５１の登録順序が適正である場合には（ステップＳ７：ＹＥＳ）、通常登録処理部３４は、当該使用された鍵カード５１を当該カードロック装置２１に登録する（ステップＳ８）。具体的には、通常登録処理部３４は、当該使用された鍵カード５１のカード情報に対応する登録情報を生成し、この登録情報を当該カードロック装置２１の記憶部２８に記憶する。
【００６９】
続いて、電気錠制御部２５が電気錠４１に制御信号を出力し、電気錠４１を動作させ、扉を解錠させる（ステップＳ９）。続いて、ログ管理部２６が、当該鍵カード５１が登録された事実、電気錠４１が解錠動作をした事実等を示す情報をログ情報として当該カードロック装置２１の記憶部２８に記憶する（ステップＳ１０）。
【００７０】
また、ステップ６において、当該使用された鍵カード５１が登録適格を有しない場合、またはステップＳ７において、当該使用された鍵カード５１の登録順序が適正でない場合には、電気錠制御部２５は電気錠４１に制御信号を出力しない。それゆえ、電気錠４１は動作せず、扉が施錠された状態が維持される。また、ログ管理部２６は、登録適格のない鍵カード５１が使用された事実、登録順序が適正でない鍵カード５１が使用された事実等を情報をログ情報として当該カードロック装置２１の記憶部２８に記憶する（ステップＳ１０）。
【００７１】
一方、ステップＳ５において、当該使用された鍵カード５１が当該カードロック装置２１に現在登録されていると判断された場合には（ステップＳ５：ＮＯ）、演算処理部２４の照合処理部３５が、当該使用された鍵カード５１のカード情報と、当該カードロック装置２１の記憶部２８に記憶されている登録情報とを照合し、両者が対応するか否か（例えばカード情報に含まれる固有識別情報と登録情報に含まれる固有識別情報とが一致するか否か）を判断する（ステップＳ１１）。
【００７２】
当該使用された鍵カード５１のカード情報と、当該カードロック装置２１の記憶部２８に記憶されている登録情報とが対応する場合には（ステップＳ１１：ＹＥＳ）、電気錠制御部２５が電気錠４１に制御信号を出力し、電気錠４１を動作させて扉を解錠させる（ステップＳ１２）。続いて、ログ管理部２６が、当該鍵カード５１の照合結果が適正であった事実、電気錠４１が解錠動作した事実等を示す情報をログ情報として当該カードロック装置２１の記憶部２８に記憶する（ステップＳ１０）。
【００７３】
一方、ステップＳ４において、当該使用されたカードがシーケンス更新カード５３であると判断された場合には（ステップＳ４：ＮＯ）、演算処理部２４のモード設定部３７が、演算処理部２４のモードを通常モードから更新モードに切り換える（ステップＳ１３）。
【００７４】
そして、演算処理部２４のモードが更新モードに切り換えられてから所定時間が経過するまでの間にカードが使用された場合には（ステップＳ１４：ＹＥＳ）、カードリーダ／ライタ２３が、当該使用されたカードからカード情報を読み取る（ステップＳ１５）。
【００７５】
続いて、演算処理部２４の種別識別部３１が、当該読み取られたカード情報に含まれるカード種別ナンバに基づき、当該使用されたカードの種別を識別する（ステップＳ１６）。
【００７６】
当該使用されたカードが例えば第１の種別の鍵カード５１である場合（ステップS１６：ＹＥＳ）、演算処理部２４の更新登録処理部３６が、通常登録処理部３４と同様に、当該使用された鍵カード５１の登録適格の有無を判断する（ステップＳ１７）。
【００７７】
当該使用された鍵カード５１が登録適格を有する場合には（ステップＳ１７：ＹＥＳ）、更新登録処理部３６は、当該使用された鍵カード５１の登録順序が適正か否かを判断せずに、当該使用された鍵カード５１を当該カードロック装置２１に登録する（ステップＳ１８）。具体的には、更新登録処理部３６は、当該使用された鍵カード５１のカード情報に対応する登録情報を生成し、この登録情報を当該カードロック装置２１の記憶部２８に記憶する。
【００７８】
続いて、電気錠制御部２５が電気錠４１に制御信号を出力し、電気錠４１を動作させて扉を解錠させる（ステップＳ１９）。続いて、ログ管理部２６が、更新モード間において鍵カード５１が登録された事実、電気錠４１が解錠動作した事実等を示す情報をログ情報として当該カードロック装置２１の記憶部２８に記憶する（ステップＳ２１）。続いて、モード設定部３７が演算処理部２４のモードを更新モードから通常モードに切り換える（ステップＳ２２）。
【００７９】
また、ステップＳ１６において、当該使用されたカードが鍵カード５１でなかった場合、または、ステップ１７において、当該使用された鍵カード５１が登録適格を有しない場合には、ログ管理部２６は、更新モード間において登録適格のない鍵カード５１が使用された事実等を示す情報をログ情報として当該カードロック装置２１の記憶部２８に記憶する（ステップＳ２１）。続いて、モード設定部３７が演算処理部２４のモードを更新モードから通常モードに切り換える（ステップＳ２２）。また、この場合には、電気錠制御部２５から電気錠４１へ制御信号は出力せず、それゆえ、電気錠４１は動作せず、扉が施錠された状態が維持される。
【００８０】
また、ステップＳ１３において、演算処理部２４のモードが更新モードに切り換えられてからカードがまったく使用されないまま所定時間が経過した場合には（ステップＳ２０：ＹＥＳ）、ログ管理部２６が、更新モードに切り換えれたことを示す情報をログ情報として当該カードロック装置２１の記憶部２８に記憶する（ステップＳ２１）。続いて、モード設定部３７が演算処理部２４のモードを更新モードから通常モードに切り換える（ステップＳ２２）。この場合にも、電気錠制御部２５から電気錠４１へ制御信号は出力せず、それゆえ、電気錠４１は動作せず、扉が施錠された状態が維持される。
【００８１】
以上説明した通り、本発明の実施形態による認証システム１によれば、シーケンス更新カード５３を使用して、カードロック装置２１のモードを通常モードから更新モードに切り換えれば、登録順序が適正でない鍵カード５１の登録を行うことができる。シーケンス更新カード５３はＩＣカードであり、それをカードリーダ／ライタ２３のパネル面に接近または接触させるだけで、カードロック装置２１のモードが自動的に直ちに更新モードに切り換えられ、登録順序が適正でない鍵カード５１の登録が可能になる。したがって、登録順序が適正でない鍵カード５１を登録するのに複雑な操作が不要である。よって、ホテルの係員等はシーケンス更新カード５３を使用して、登録順序が適正でない鍵カード５１の登録を容易に行うことできる。
【００８２】
また、シーケンス更新カード５３はＩＣカードであり、カード発行装置１１により複数のシーケンス更新カード５３を発行することができるので、ホテルの何人かの係員のそれぞれにシーケンス更新カード５３を携帯させることが可能である。複数のシーケンス更新カード５３を複数の係員にそれぞれ分散管理させれば、登録順序が適正でない鍵カード５１の登録の必要が生じたときに、シーケンス更新カード５３がすべて紛失してしまって１枚も見つからないといった事態が生じることは少ない。したがって、登録順序が適正でない鍵カード５１の登録を迅速にかつ確実に行うことができる。
【００８３】
なお、上述した実施形態では、図５に示すように、演算処理部２４のモードが更新モードに切り換えられた後、カードロック装置２１に対して使用されたカードが鍵カード５１でない場合、またはカードロック装置２１に対して使用された鍵カード５１が登録適格を有していない場合には、ログ情報を記憶した後、直ちに、演算処理部２４のモードを更新モードから通常モードに切り換えることとしたが（ステップＳ１６、Ｓ１７、Ｓ２１、Ｓ２２）、本発明はこれに限らない。例えば、カードロック装置２１に対して使用されたカードが鍵カード５１でない場合、またはカードロック装置２１に対して使用された鍵カード５１が登録適格を有していない場合でも、演算処理部２４のモードが更新モードに切り換えられてから所定の時間が経過するまでは、更新モードを維持するようにしてもよい。
【００８４】
また、上記実施形態では、鍵カード５１の登録順序が適正であるか否かを判断する情報、すなわち、鍵カード５１の登録順序に対応する値を示す情報として、チェックイン日時を用いる場合を例にあげたが、本発明はこれに限らない。例えば、同一の部屋について鍵カード５１が発行された順序示す情報（発行ナンバ、追番、順序を表現することができる記号）を、鍵カード５１の登録順序に対応する値を示す情報として用いてもよい。
【００８５】
また、本発明は、請求の範囲および明細書全体から読み取ることのできる発明の要旨または思想に反しない範囲で適宜変更可能であり、そのような変更を伴う認証装置および認証システムもまた本発明の技術思想に含まれる。
【符号の説明】
【００８６】
１  認証システム
１１  カード発行装置
２１  カードロック装置（認証装置）
２２  カードリーダユニット
２３  カードリーダ／ライタ（カード読取部）
２４  演算処理部
２５  電気錠制御部
２８  記憶部（登録情報記憶部）
３１  種別識別部
３２  判断処理部
３３  登録判断部
３４  通常登録処理部
３５  照合処理部
３６  更新登録処理部
３７  モード設定部
４１  電気錠
５１  鍵カード（認証カード）
５２  記憶部（カード情報記憶部）
５３  シーケンス更新カード（制御カード）
５４  記憶部（カード情報記憶部）
【図１】
2013186880.tif 000003
【図２】
2013186880.tif 000004
【図３】
2013186880.tif 000005
【図４】
2013186880.tif 000006
【図５】
2013186880.tif 000007